(57)【特許請求の範囲】
【請求項１】
ベース脚に背もたれ部及び座部を支持させてなり、前記ベース脚に取り付けた支基と座部を支持する座受との間を前後のリンク要素により連結することによって背もたれ部及び座部を連動させてロッキングさせるロッキング機構を構成してなり、前記座受に座部を前後移動可能に取り付けて構成されるものであって、
前側のリンク要素が、一端を支基の前方に回転軸を介して回転可能に取り付け、他端を座受に支軸を介して回転可能に取り付けたものであり、かつ、背もたれ部が後傾した際に、前記前側のリンク要素が、側面視において略直立した状態から後傾した状態になるものであり、
前記ロッキング機構は、背もたれ部が後傾した際に、前記座受の後端側を沈み込ませるように動作するものであるとともに、
前記座部を前後方向の所望位置に選択的に固定する固定機構を備え、
その固定機構を操作する操作部を、肘桿よりも前側に配するとともに前記座部と共に一体的に前後移動し得る位置に設けており、
前記ベース脚が、脚羽根の中心から上方に向けて回転軸を突出させたものであることを特徴とする椅子。
【請求項２】
前記操作部がレバーであり、このレバーが前記座部の側端部に設けたレバー保持部に取り付けられている請求項１記載の椅子。
【請求項３】
座受に対する座部の前後移動動作が、前記座部についた手から与えられる操作力によって生じるものである請求項１又は２記載の椅子。
【請求項４】
前記操作部がレバーであり、非操作時に略水平な姿勢をとるものである請求項１、２又は３記載の椅子。
【発明の詳細な説明】
【技術分野】
【０００１】
本発明は、座部を座受に対し前後移動可能とされた椅子に係り、特に座部に対し所望の前後位置において的確な固定、解除操作ができるようにした椅子に関するものである。
【背景技術】
【０００２】
近時の椅子は、執務時に適正な姿勢をとることができ、安息姿勢やリフレッシュ姿勢も選択的にとることができるように、背もたれ傾動機構やロッキング機構を始め、座の前後位置調整機構など種々の機構を実装したものが実用に供されている。
【発明の概要】
【発明が解決しようとする課題】
【０００３】
ところで、このうち前後位置調整機構に着目すると、従来のものは座受に対して座部を前後移動可能に構成し、その座部を任意の位置に固定するために、その操作部をロッキング機構等を操作する操作部と共に座受側に設けているのが通例である。
【０００４】
しかしながら、座部が前後動すると、座部に対する操作部の相対位置が変化する。このため、着座姿勢のままで操作を行おうとする場合、座部に手をついていると操作部に指を適切にかけ難くなり、操作部に手を掛けていると体の支えが不安定になって体勢を崩し易いといった不具合が生じる場合がある。特に、座部に手を掛け、人為的な操作力によって座部の前後動を行うような椅子では、手でしっかりと座を掴んでおかなければならないため、操作部に指が掛かり難くなり、一層困難な操作を余儀なくされる。
【課題を解決するための手段】
【０００５】
本発明は、このような課題を解決するために、次のような手段を講じたものである。
【０００６】
すなわち、本発明の椅子は、ベース脚に背もたれ部及び座部を支持させてなり、前記ベース脚に取り付けた支基と座部を支持する座受との間を前後のリンク要素により連結することによって背もたれ部及び座部を連動させてロッキングさせるロッキング機構を構成してなり、前記座受に座部を前後移動可能に取り付けて構成されるものであって、
前側のリンク要素が、一端を支基の前方に回転軸を介して回転可能に取り付け、他端を座受に支軸を介して回転可能に取り付けたものであり、かつ、背もたれ部が後傾した際に、前記前側のリンク要素が、側面視において略直立した状態から後傾した状態になるものであり、前記ロッキング機構は、背もたれ部が後傾した際に、前記座受の後端側を沈み込ませるように動作するものであるとともに、前記座部を前後方向の所望位置に選択的に固定する固定機構を備え、その固定機構を操作する操作部を、肘桿よりも前側に配するとともに前記座部と共に一体的に前後移動し得る位置に設けており、前記ベース脚が、脚羽根の中心から上方に向けて回転軸を突出させたものであることを特徴とする。
【０００７】
このようなものであれば、操作部は常に座部の前後移動に伴って移動し、座部に対する相対位置が変化することがない。このため、座部に的確に手をつき、操作部に適切に指を掛けた操作状態を確保することができ、良好な操作性と着座姿勢の安定性とを好適に両立させることができる。
【０００８】
【０００９】
【００１０】
【００１１】
本発明は、以上のような構成であるから、座受に対する座部の前後移動動作が、前記座部についた手から与えられる操作力によって生じるような椅子に適用して特に有用なものとなる。
【００１２】
【００１３】
操作部の好適な具体例としては、非操作時に略水平な姿勢をとるレバーが挙げられる。
【発明の効果】
【００１４】
本発明は、以上説明した構成であるから、座部に的確に手をつき、固定機構を操作する操作部に適切に指を掛けた状態を維持して、座部の前後位置調整を有効に行うことができ、これにより良好な操作性と着座姿勢の安定性とを好適に両立させることが可能となる。
【図面の簡単な説明】
【００１５】
【図１】本発明の一実施形態を示す側面図。
【図２】同正面図。
【図３】同部分分解斜視図。
【図４】同作用説明図。
【図５】同作用説明図。
【図６】同作用説明図。
【図７】同実施形態を座部を取り除いて示す平面図。
【図８】同実施形態の座部を示す底面図。
【図９】同実施形態の要部である固定機構を示す図。
【図１０】図９の側面図。
【発明を実施するための形態】
【００１６】
以下、本発明の一実施形態について図面を参照して説明する。図１及び図２は本発明の一実施形態を示す椅子１の側面図及び正面図であり、図３は一部の機構部分を示す部分分解斜視図、図４〜図６はこの椅子の作用説明図である。
【００１７】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部６を連動させてロッキングさせるロッキング機構Ｑ、ストレッチ等のために背もたれ部５の上方部分のみを後傾させる背もたれ上部傾動機構Ｒ、並びに、腰骨を選択的に押圧するため等に利用される背もたれ下部傾動機構Ｓを設けている。
【００１８】
具体的に説明すると、ベース脚２は、脚羽根２０の中心から上方に向けて回転軸２１を突出させたもので、その上に支持される座部６及び背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１９】
背もたれ部５は、背もたれ下部フレーム５０と、背もたれ上部フレーム５５と、これら両フレーム５０，５５の間に図示しない弾性部材を介して架け渡した張り部材８とを具備してなるもので、両フレーム５０、５５は、ともにリンク要素７ｂの内側部分に設けられた回転軸７２に回転可能に取り付けられている。
【００２０】
座部６は、着座者の大腿部に対応する窪みを有するクッション体６０と、そのクッション体６０の下方を支持するシェル６１とを備えている。
【００２１】
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これにリンク要素７ａを適宜位置に固定するガススプリング３１を付帯させて構成されている。本発明の座Ｚは、これら座部６と座受４によって構成されるものである。
【００２２】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００２３】
座受４は、前記座部６のシェル６１を支持すべく、アルミなどの金属部材によって面状に成形されたもので、この座受４の左右両側部に、肘桿９を取り付けるための肘桿取付部４４（図７参照）を設けている。
【００２４】
リンク要素７ａは、一端を支基３の前方に回転軸３０を介して回転可能に取り付け、他端を座受４の前方裏面に支軸７４を介して回転可能に取り付けた板状のものである。
【００２５】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０及び背もたれ上部フレーム５５が回転軸７２回りの回転機能を停止させられた状態で一体的に固定され、リンク要素７ｂと共にトーションバー７０の回転軸回りに回転し得るものである。
【００２６】
ガススプリング３１は、リンク要素７ａと支基３との間に設けられたもので、選択的にリンク要素７ａを固定することによって、四辺リンク機構全体をロックするようにしている。
【００２７】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００２８】
ロック機構ｒは、図３に示すように、リンク要素７ｂの上方に設けた孔部７７と、背もたれ上部フレーム５５に取り付けた側面視略ひし形のブラケット５５０に設けた孔部５５１と、通常はこれら両孔部７７に跨る位置に配置され選択的に前記孔部５５１から引き抜くことによって背もたれ上部フレーム５５とリンク要素７ｂとの拘束を解除するピン７６とから構成されるものである。背もたれ上部フレーム５５の下端部内側に位置するブラケット５５０の内側には、リンク７ｂと一体をなすように同形状のブラケット７ｂ１が設けてあり、これらブラケット５５０，７ｂ１を重ね合わせて、孔部５５１の内側に孔部７７を位置させて、ピン７６を挿入するようにしている。しかして、ピン７６が両孔部７７、５５１に挿入されている状態においてはリンク要素７ｂと背もたれ上部フレーム５５とは拘束されて一体的に動き、また、このピン７６を孔部５５１から引き抜くことによって、上記の拘束を解除して背もたれ上部フレーム５５のみが回転軸７２を中心として独自に回転し得るようにしている。
【００２９】
バネ部材７３は、背もたれ上部フレーム５５に傾動時に弾性を付与するためのもので、背もたれ上部フレーム５５を起立方向に押圧している。
【００３０】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００３１】
しかして、座受４の前方側端部には、座部６を取り付けた状態で以上の諸機構Ｐ〜Ｓを選択的に活用すべく、図７に示すようにレバー４３ａ、４３ｂ、４３ｃが設けてある。レバー４３ａは図４に示すように座部６を昇降させるためのものであり、レバー４３ｂは図６に示すように背もたれ下部フレーム５０のみを後傾させるものであり、レバー４３ｃは図５に示すように座部６及び背もたれ上部フレーム５５，背もたれ下部フレーム５０全体を連動させてロッキングさせるためのものである。なお、背もたれ上部フレーム５５のみの傾動は、非ロッキング時においてのみ可能であり、かつレバー操作なしで行うことができるものである。
【００３２】
以上のような構成において、本実施形態は、座部６を座受４に対して前後移動可能に取り付けるとともに、座部６を前後移動させる座前後調整機構Ｔを設けている。
【００３３】
座部６は前述したようにクッション体６０とシェル６１からなるものであり、このシェル６１を座受４に着脱可能に取り付けることを可能にするために、図８に示すようにシェル６１の下面の前端側及び後端側に突出部６２ｆ、６２ｂが設けてある。一方、座受４は、その平面部分であって前記突出部６２ｆ、６２ｂの対応位置に、図７に示すように前後方向に延びる長孔部４０ｆ、４０ｂが設けてある。そして、この長孔部４０ｆ、４０ｂに前記シェル６１の突出部６２ｆ、６２ｂを挿入し、その挿入端側に適宜の抜け止め構造を採用することによって、座受４に対する座部６の前後移動を許容しつつ、上方への離脱を規制している。
【００３４】
これに対して、座前後移動機構Ｔは、座受４の上面にラック４１を設けるとともに、座部６を構成するシェル６１の下面にピニオン６３を設け、これらラック４１とピニオン６３を噛み合わせることによって、座受４に対する座部６の前後スライド移動を案内するようにしている。ラック４１は、座受４の幅方向中心部から左右方向へ離間した位置に一対に設けられており、ピニオン６３は、座部６の下面側に成形された軸保持部６４によって保持された軸６５の両端部分に形成されている。すなわち、この座前後移動機構Ｔは、人為的な操作力を加えることによって、座部６を座受４に対して前後動させるようにしたものである。
【００３５】
そして、座部６を前後方向の所望位置に選択的に固定するために、図８〜図１０に示す固定機構１００を備え、その固定機構１００を操作する操作部たるレバー１１０を図８に示すように座部６と共に一体的に前後移動し得る位置に設けている。
【００３６】
固定機構１００は、ピニオン６３に対する接離動作を通じ選択的にピニオン６３に噛み合ってロックする規制片１０１を具備している。この規制片１０１は、座部６の下面側に成形されたガイド溝１０２にスライド可能に取り付けられているもので、基端がワイヤチューブ１０３の一端に接続され、ワイヤ操作を通じピニオン６３に対して水平方向から接離して、先端に形成した歯１０４を選択的にピニオン６３に噛み合わせることができるものである。規制片１０１は、前記ガイド溝１０２内に設けたバネ１０５によってピニオン６３に噛み合う方向に弾性的に押し付けられている。
【００３７】
一方、レバー１１０は、座部６の前端側の右側端部下面に設けたレバー保持部１１０ａに取り付けられ、その位置で前記ワイヤチューブ１０３の他端側を操作可能に接続したもので、非操作時に前述した各レバー４３ａ、４３ｂ、４３ｃと共に水平をなし、かつ座部６が後端側へスライドした際の前後位置において各レバー４３ａ、４３ｂ、４３ｃと共にほぼ一定ピッチの規則性ある配列をなすように設けられている。そして、このレバー１１０を操作したときのみ、前記バネ１０５に抗して規制片１０１を後退させ、当該規制片１０１をピニオン６３から離脱させて座部６の前後動を許容し、レバー１１０をレバー４３ａから前方へ離反させつつ図６に想像線で示すように座部６を前方へ移動させ得るようにしている。
【００３８】
以上のように、本実施形態の椅子は、座受４に座部６を前後移動可能に取り付けるように構成されたものである。そして、座部６を前後方向の所望位置に選択的に固定する固定機構１００を備え、その固定機構１００を操作する操作部たるレバー１１０を座部６と共に一体的に前後移動し得る位置に設けたものである。
【００３９】
このため、レバー１１０は常に座部６の前後移動に伴って移動し、座部６に対する相対位置を変化させることがない。したがって、座部６に的確に手をつき、レバー１１０に適切に指を掛けた操作状態を維持することができ、良好な操作性と着座姿勢の安定性とを好適に両立させることが可能となる。
【００４０】
具体的には、座部６を、ラックピニオン機構を介して座受４に支持しているものであり、ラック４１を座受４側に設け、ピニオン６３を固定機構１００及びレバー１１０と共に座部６側に設けているので、前後方向への動作を確実なものにすることができると同時に、座部６を足場にして固定機構１００にピニオン６３の回転を確実にロックさせて、ラック４１に対して動かないようにすることができ、これらの部品の座部６や座受４への組み込みも比較的簡易に行うことが可能となる。
【００４１】
特に、固定機構１００に、ピニオン６３に対する接離動作を通じ選択的にピニオン６３に噛み合ってその回転をロックする規制片１０１を採用しているだけなので、コンパクトな組み込み状態を実現することができる。
【００４２】
そして、上記規制片１０１の接離動作が、水平方向に沿ってなされるものであるため、座受４と座部６との間に厚み方向の動作スペースを確保する必要がなく、固定機構１００の存在によって座受４と座部６との間が嵩張ることを有効に防止することができる。
【００４３】
とりわけ、この実施形態は、座受４に対する座部６の前後移動動作が、外部から人為的に与える操作力によって生じるようなものであるため、着座した状態で座部６を前後方向へ操作しながら同時にレバー１１０を操作するといった態様も極めて自然に行うことができる。
【００４４】
さらに、上記固定機構１００を操作するレバー１１０が、座受４側に設けられるロッキング機構Ｑ等の操作部であるレバー４３ａ、４３ｂ、４３ｃと共に、座部６の後方移動位置において規則正しく配列するように構成されているため、これらレバー４３ａ、４３ｂ、４３ｃの操作と関連づけてレバー１１０を有効に操作することができ、使い勝手と見栄えの向上とを図ることができる。
【００４５】
なお、各部の具体的な構成は、上述した実施形態のみに限定されるものではなく、本発明の趣旨を逸脱しない範囲で種々変形が可能である。
【符号の説明】
【００４６】
４…座受
６…座部
４１…ラック
４３ａ、４３ｂ、４３ｃ…レバー（他の機構の操作部）
６３…ピニオン
１００…固定機構
１０１…規制片
１１０…操作部（レバー）
Ｐ…昇降機構（他の機構）
Ｑ…ロッキング機構（他の機構）
Ｒ…背もたれ上部傾動機構（他の機構）
Ｓ…背もたれ下部傾動機構（他の機構）
【図１】
0005460791.tif 000002
【図２】
0005460791.tif 000003
【図３】
0005460791.tif 000004
【図４】
0005460791.tif 000005
【図５】
0005460791.tif 000006
【図６】
0005460791.tif 000007
【図７】
0005460791.tif 000008
【図８】
0005460791.tif 000009
【図９】
0005460791.tif 000010
【図１０】
0005460791.tif 000011